【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
前記ビデオデータの第１のビデオブロックを含む第１のピクチャが参照ピクチャリスト内にある資格があるかどうかを示す第１のシンタックス要素を受信することと、
前記第１のシンタックス要素の値を決定することと、
前記第１のピクチャが前記参照ピクチャリスト内にある資格があることを前記第１のシンタックス要素が示すことに応答して、
前記第１のピクチャを前記参照ピクチャリストに追加することと、
前記第１のビデオブロックに対する動きベクトルが整数ペル精度を有するものと決定することと、
候補導出プロセスにおいて使用される前または前記候補導出プロセスが完了した後のいずれかにおいて、前記第１のピクチャに対する複数の動きベクトル予測子候補の各々の動きベクトル予測子候補を整数ペル精度に変換することと、
前記参照ピクチャリストからの１つのピクチャのブロックと第１の残差とを使用して前記第１のビデオブロックを復号することと、
前記ビデオデータの第２のビデオブロックを含む第２のピクチャが参照ピクチャリスト内にある資格があるかどうかを示す第２のシンタックス要素を受信することと、
前記第２のシンタックス要素の値を決定することと、
前記第２のピクチャが前記参照ピクチャリスト内にある資格がないことを前記第２のシンタックス要素が示すことに応答して、前記第２のピクチャが前記参照ピクチャリスト内に置かれるのを制限することと、
前記参照ピクチャリストからの１つのピクチャのブロックと第２の残差とを使用して前記第２のビデオブロックを復号することとを備える、方法。
【請求項２】
前記第１のピクチャが、ＰスライスまたはＢスライスのうちの１つを備えるイントラランダムアクセスピクチャである、請求項１に記載の方法。
【請求項３】
前記イントラランダムアクセスピクチャが、空でない参照ピクチャセットを指定する１つまたは複数の異なるシンタックス要素のセットをさらに備える、請求項２に記載の方法。
【請求項４】
前記第１のピクチャを復号するために使用される参照ピクチャが、前記第１のピクチャの復号されたフィルタリングされていないサンプルを含む、請求項１に記載の方法。
【請求項５】
前記第１のシンタックス要素が、ピクチャパラメータセットまたはシーケンスパラメータセットのうちの１つの中に配置される、請求項１に記載の方法。
【請求項６】
前記第１のピクチャと異なるピクチャに少なくとも部分的に基づいて時間的動きベクトル予測子を決定することをさらに備える、請求項１に記載の方法。
【請求項７】
前記第１のピクチャがクリーンランダムアクセスピクチャまたは切断リンクアクセスピクチャのうちの１つであり、前記方法が、
前記第１のピクチャに対する予測参照として使用される資格があるピクチャの数を示す第３のシンタックス要素の値を受信することをさらに備え、前記第３のシンタックス要素が１の値を有する、請求項１に記載の方法。
【請求項８】
前記参照ピクチャリストが前記第１のピクチャだけを含むとき、時間的動きベクトル予測子を無効にすることをさらに備える、請求項１に記載の方法。
【請求項９】
前記第１のビデオブロックがルーマ成分とクロマ成分とを備え、前記ルーマ成分または前記クロマ成分のうちの１つだけが整数ペル精度を有する、請求項１に記載の方法。
【請求項１０】
前記第１のピクチャが前記参照ピクチャリストに追加される資格があり、前記第１のピクチャの各予測サンプルが、前記現在ピクチャのピクチャ境界内に含まれる、請求項１に記載の方法。
【請求項１１】
前記第１のピクチャの隣接ピクチャを決定することと、ここにおいて、前記隣接ブロックが空間的隣接ピクチャまたは時間的隣接ピクチャのいずれかである、
前記隣接ピクチャ中の予測ブロックを決定することと、ここにおいて、前記予測ブロックが動きベクトルを含む、
前記第１のブロックに対する参照ピクチャ中の参照ブロックを決定するために前記動きベクトルを使用することと、ここにおいて、前記参照ブロックが前記動き予測情報を含む、
前記参照ブロックの前記動き予測情報と前記第１の残差とを使用して前記第１のビデオブロックを復号することとをさらに備える、請求項１に記載の方法。
【請求項１２】
ビデオデータを符号化する方法であって、
前記ビデオデータの第１のビデオブロックを符号化するために使用される第１の参照ピクチャを決定することと、
前記第１の参照ピクチャに対するピクチャ順序カウント（ＰＯＣ）値を決定することと、
前記第１の参照ピクチャに対する前記ＰＯＣ値が前記第１のビデオブロックを含む第１のピクチャに対するＰＯＣ値に等しいことに応答して、
参照ピクチャリストが前記第１のピクチャを含むことを示すようにシンタックス要素の値を設定することと、
前記現在ビデオブロックに対する動きベクトルが整数ペル精度を有するものと決定することと、
候補導出プロセスにおいて使用される前または前記候補導出プロセスが完了した後のいずれかにおいて、前記現在ピクチャに対する複数の動きベクトル予測子候補の各々の動きベクトル予測子候補を整数ペル精度に変換することと、
前記参照ピクチャリストからの１つのピクチャのブロックと第１の残差とを使用して前記第１のビデオブロックを符号化することと、
前記ビデオデータの第２のビデオブロックを符号化するために使用される第２の参照ピクチャを決定することと、
前記第２の参照ピクチャに対するＰＯＣ値を決定することと、
前記第２の参照ピクチャに対する前記ＰＯＣ値が前記第２のピクチャに対する前記ＰＯＣ値と異なることに応答して、前記参照ピクチャリストが前記第２のピクチャを含まないことを示すように前記シンタックス要素の前記値を設定することと、
前記参照ピクチャリストからの１つのピクチャのブロックと第２の残差とを使用して前記第２のビデオブロックを符号化することとを備える、方法。
【請求項１３】
前記第１のピクチャが、ＰスライスまたはＢスライスのうちの１つを備えるイントラランダムアクセスピクチャである、請求項１２に記載の方法。
【請求項１４】
前記イントラランダムアクセスピクチャが、空でない参照ピクチャセットを指定する１つまたは複数の異なるシンタックス要素のセットをさらに備える、請求項１３に記載の方法。
【請求項１５】
前記参照ピクチャが、前記第１のピクチャの復号されたフィルタリングされていないサンプルを含む、請求項１２に記載の方法。
【請求項１６】
前記第１のシンタックス要素が、ピクチャパラメータセットまたはシーケンスパラメータセットのうちの１つの中に配置される、請求項１２に記載の方法。
【請求項１７】
前記第１のピクチャと異なるピクチャに少なくとも部分的に基づいて時間的動きベクトル予測子を決定することをさらに備える、請求項１２に記載の方法。
【請求項１８】
前記第１のピクチャがクリーンランダムアクセスピクチャまたは切断リンクアクセスピクチャのうちの１つであり、前記方法が、
前記第１のピクチャに対する予測参照として使用される資格があるピクチャの数を示す第３のシンタックス要素の値を１に設定することをさらに備える、請求項１２に記載の方法。
【請求項１９】
前記参照ピクチャリストが前記第１のピクチャだけを含むとき、時間的動きベクトル予測子を無効にすることをさらに備える、請求項１２に記載の方法。
【請求項２０】
前記第１のビデオブロックがルーマ成分とクロマ成分とを備え、前記ルーマ成分または前記クロマ成分のうちの１つだけが整数ペル精度を有する、請求項１２に記載の方法。
【請求項２１】
前記参照ピクチャに対する前記ＰＯＣ値が前記第１のピクチャに対する前記ＰＯＣ値に等しく、前記第１のピクチャの各予測サンプルが前記第１のピクチャのピクチャ境界内に含まれる、請求項１２に記載の方法。
【請求項２２】
前記第１のピクチャの隣接ピクチャを決定することと、ここにおいて、前記隣接ブロックが空間的隣接ピクチャまたは時間的隣接ピクチャのいずれかである、
前記隣接ピクチャ中の予測ブロックを決定することと、ここにおいて、前記予測ブロックが動きベクトルを含む、
前記第１のブロックに対する前記参照ピクチャ中の参照ブロックを決定するために前記動きベクトルを使用することと、ここにおいて、前記参照ブロックが前記動き予測情報を含む、
前記参照ブロックの前記動き予測情報と前記第１の残差とを使用して前記第１のビデオブロックを符号化することとをさらに備える、請求項１２に記載の方法。
【請求項２３】
ビデオデータを記憶するように構成されたメモリ、ならびに、
１つまたは複数のプロセッサを備え、前記１つまたは複数のプロセッサが、
前記ビデオデータの現在ビデオブロックを含む現在ピクチャが参照ピクチャリスト内にある資格があるかどうかを示すシンタックス要素を受信することと、
前記シンタックス要素の値を決定することと、
前記第１のピクチャが前記参照ピクチャリスト内にある資格があることを前記シンタックス要素が示すことに応答して、
前記現在ピクチャを前記参照ピクチャリストに追加することと、
前記現在ビデオブロックに対する動きベクトルが整数ペル精度を有するものと決定することと、
候補導出プロセスにおいて使用される前または前記候補導出プロセスが完了した後のいずれかにおいて、前記現在ピクチャに対する複数の動きベクトル予測子候補の各々の動きベクトル予測子候補を整数ペル精度に変換することと、
前記第２のピクチャが前記参照ピクチャリスト内にある資格がないことを前記シンタックス要素が示すことに応答して、前記現在ピクチャが前記参照ピクチャリスト内に置かれるのを制限することと、
前記参照ピクチャリストからの１つのピクチャのブロックと残差とを使用して前記現在ビデオブロックを復号することとを行うように構成された、ビデオ復号デバイス。
【請求項２４】
前記１つまたは複数のプロセッサが、
前記参照ピクチャリストが前記現在ピクチャだけを含むとき、時間的動きベクトル予測子を無効にするようにさらに構成される、請求項２３に記載のビデオ復号デバイス。
【請求項２５】
前記現在ビデオブロックがルーマ成分とクロマ成分とを備え、前記ルーマ成分または前記クロマ成分のうちの１つだけが整数ペル精度を有する、請求項２３に記載のビデオ復号デバイス。
【請求項２６】
前記１つまたは複数のプロセッサが、
前記現在ピクチャの隣接ピクチャを決定することと、ここにおいて、前記隣接ブロックが空間的隣接ピクチャまたは時間的隣接ピクチャのいずれかである、
前記隣接ピクチャ中の予測ブロックを決定することと、ここにおいて、前記予測ブロックが動きベクトルを含む、
前記現在ブロックに対する参照ピクチャ中の参照ブロックを決定するために前記動きベクトルを使用することと、ここにおいて、前記参照ブロックが前記動き予測情報を含む、
前記参照ブロックの前記動き予測情報と前記残差とを使用して前記現在ビデオブロックを復号することとを行うようにさらに構成される、請求項２３に記載のビデオ復号デバイス。
【請求項２７】
命令を記憶する非一時的コンピュータ可読記憶媒体であって、前記命令が、１つまたは複数のプロセッサによって実行されたとき、前記１つまたは複数のプロセッサに、
ビデオデータの現在ビデオブロックを含む現在ピクチャが参照ピクチャリスト内にある資格があるかどうかを示すシンタックス要素を受信することと、
前記シンタックス要素の値を決定することと、
前記第１のピクチャが前記参照ピクチャリスト内にある資格があることを前記シンタックス要素が示すことに応答して、
前記現在ピクチャを参照ピクチャリストに追加することと、
前記現在ビデオブロックに対する動きベクトルが整数ペル精度を有するものと決定することと、
候補導出プロセスにおいて使用される前または前記候補導出プロセスが完了した後のいずれかにおいて、前記現在ピクチャに対する複数の動きベクトル予測子候補の各々の動きベクトル予測子候補を整数ペル精度に変換することと、
第２のピクチャが前記参照ピクチャリスト内にある資格がないことを前記シンタックス要素が示すことに応答して、前記現在ピクチャが前記参照ピクチャリスト内に置かれるのを制限することと、
前記参照ピクチャリストからの１つのピクチャのブロックと残差とを使用して前記現在ビデオブロックを復号することとを行わせる、非一時的コンピュータ可読記憶媒体。